(57)【要約】【課題】簡単な構造でロスおよび部品点数を削減し、より安価で組み立てやすい分離型空気調和機の室外ユニットを提供すること。【解決手段】Ｕ字形銅管１０ａ、１０ｂおよびフィン１０ｃ、１０ｄからなる熱交換器１０のＵ字形銅管が閉じた側に、Ｕ字形銅管１０ａ、１０ｂに沿った立面部１２ｃと、立面部１２ｃと対向してＵ字形銅管１０ａ、１０ｂを挟持固定するために弾性を有するアーム１２ｄとＵ字形銅管１０ａ、１０ｂを固定する固定用ツメ１２ｅを設けた端板１２を脱着可能に設置して構成することにより、簡単な構造で端板だけを交換可能としてロスを削減し、組立や市場での補修を容易にすることができる。【選択図】図１
2006226652.tif 000002
【特許請求の範囲】
【請求項１】
熱交換器のＵ字形銅管が閉じた側に、前記Ｕ字形銅管に沿った立面部と、前記立面部と対向して前記Ｕ字形銅管を挟持固定するために弾性を有するアームと、前記Ｕ字形銅管を固定するツメを設けた端板を脱着可能に設置して構成した分離型空気調和機の室外ユニット。
【請求項２】
熱交換器が複数列により構成される場合、端板において最も外側の列に保持されるＵ字形銅管数が多くなるように構成した請求項１に記載の分離型空気調和機の室外ユニット。
【請求項３】
端板を複数個設置して構成した請求項１または請求項２に記載の分離型空気調和機の室外ユニット。
【請求項４】
熱交換器が複数列により構成される場合、前記熱交換器の隣り合うフィン同士が接触しないように列間の距離を設定した端板で構成した請求項１〜３のいずれか１項に記載の分離型空気調和機の室外ユニット。
【請求項５】
端板の一部を延長し外箱を構成する板に接触させて構成した請求項１〜４のいずれか１項に記載の分離型空気調和機の室外ユニット。
【発明の詳細な説明】
【技術分野】
【０００１】
本発明は熱交換器を固定する端板を有する分離型空気調和機の室外ユニットに関するものである。
【背景技術】
【０００２】
従来、この種の分離型空気調和機の室外ユニットは、熱交換器をＵ字形銅管およびフィンに加えてフィンの両端に設けられた金属製端板を一体に構成し、金属製端板を外箱底板または外箱側板にネジ固定して構成されているものがあった（例えば、特許文献１参照）。
【０００３】
また、熱交換器は空気調和機が必要とする熱交換能力により、１列または複数列より構成され、Ｌ型もしくはＵ型に曲げて設置されることが多い。複数列より構成される場合には熱交換器の外側列と内側列の長さが異なるため、Ｕ字形銅管の閉じた側の端板は外側列と内側列が別々に設置されＬ型もしくはＵ型に曲げられた後にネジ固定されることや、外側列にのみ端板が設置されＬ型もしくはＵ型に曲げられた後に外側列のＵ字形銅管と内側列のＵ字形銅管を樹脂バンドで結束して構成されることがあった。
【０００４】
図８は、特許文献１に記載された従来の分離型空気調和機の室外ユニットの一部を省略した平面図で、図９は従来の分離型空気調和機の室外ユニットの一部を省略した斜視図である。
【０００５】
図８および図９において、室外ユニット１は外装に外箱底板２、外箱左側板３、外箱右側板４、外箱前板５、外箱天板（図示せず）を配設して、その内部に仕切り板６、送風機７、および圧縮機８を設置し、外箱底板２の後部および左側部に端板９ａ、９ｂおよび
９ｃに挟持されたＬ型の熱交換器１０をネジ１１により固定して構成されていた。また熱交換器１０はＵ字形銅管１０ａおよび１０ｂ、フィン１０ｃおよび１０ｄを有している。
【０００６】
この構成により室外ユニットは内部の熱交換器を固定し、輸送や空調運転時に熱交換器を破損することなく保持することができた。
【特許文献１】実開平５−３８２２号公報
【発明の開示】
【発明が解決しようとする課題】
【０００７】
しかしながら、前記従来の構成では、熱交換器を固定するための端板を熱交換器製造時に組み込んでおく必要があり、組立や市場での補修時のネジ締め等によりこの端板部を破損した場合には熱交換器全体を交換しなければならずコストアップの要因になるという課題を有していた。
【０００８】
さらに熱交換器が複数列により構成される場合、それぞれの列を結合する部品が必要であり、また取り付け工数を要する等の課題を有していた。
【０００９】
本発明は、前記従来の課題を解決するもので、簡単な構造で端板だけを交換可能としてロスコストを削減し、さらに部品点数を削減して、より安価で組み立てやすい分離型空気調和機の室外ユニットを提供することを目的とする。
【課題を解決するための手段】
【００１０】
前記従来の課題を解決するために、本発明の分離型空気調和機の室外ユニットは、熱交
換器製造時には熱交換器のＵ字形銅管の閉じた側に端板を設けず、熱交換器完成後に端板を着脱可能に設置して構成されるものである。
【００１１】
これによって、簡単な構造で端板だけを交換可能としてロスコストを削減し、さらに部品点数を削減して、より安価で組み立てやすい室外ユニットを実現することを目的とする。
【発明の効果】
【００１２】
本発明の分離型空気調和機の室外ユニットは、簡単な構造でロスコストおよび部品点数を削減し、より安価で組み立てやすい室外ユニットを実現することができる。
【発明を実施するための最良の形態】
【００１３】
第１の発明は、熱交換器のＵ字形銅管が閉じた側に、Ｕ字形銅管に沿った立面部と、立面部と対向して前記Ｕ字形銅管を挟持固定するために弾性を有するアームと、Ｕ字形銅管を固定するツメを設けた端板を脱着可能に設置して構成することにより、簡単な構造で端板だけを交換可能としてロスコストを削減し、組立や市場での補修を容易にすることができる。
【００１４】
第２の発明は、熱交換器が複数列により構成される場合、特に、第１の発明の端板において最も外側の列に保持されるＵ字形銅管数が多くなるように構成することにより、端板の形状を小さくしても銅管の保持力を保つことで、端板の材料を削減できさらに安価にて実現することができる。
【００１５】
第３の発明は、特に、第１または第２の発明の端板を複数個設置して構成することにより、熱容量差に伴う熱膨張差によって変形等の影響を削減しさらに安価にて実現することができる。
【００１６】
第４の発明は、熱交換器が複数列により構成される場合、特に、第１〜３のいずれか１つの発明の端板を、熱交換器の隣り合うフィン同士が接触しないように列間の距離を設定した構成にすることにより、フィンの接触音を削減することができる。
【００１７】
第５の発明は、端板の一部を延長し外箱を構成する板に接触させて構成することにより構造を強固にすることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における分離型空気調和機の室外ユニットの一部を省略した斜視図、図２は、正面図、図３は、平断面図を示すものである。図１および図２、図３において、従来の技術の図８および図９と同じ構成要素については同じ符号を用い、説明を省略する。
【００２０】
図１および図２、図３において、熱交換器１０はＵ字形銅管１０ａ、１０ｂ、フィン１０ｃ、１０ｄにより構成される。熱交換器１０のＵ字形銅管の閉じた側には、端板１２がＵ字形銅管１０ａ、１０ｂ、フィン１０ｃ、１０ｄに接して取り付けられている。この端板１２はフィン１０ｃ、１０ｄの端面に沿った平面部１２ａと、平面部１２ａをＵ字形銅管１０ａ、１０ｂが貫通する開口部１２ｂと、開口部１２ｂの最外形周りを略矩形に取り囲み、Ｕ字形銅管１０ａ、１０ｂに沿った立面部１２ｃを有している。さらに立面部１２ｃと対向して、Ｕ字形銅管を挟持固定するために弾性を有するアーム１２ｄを設け、立面
部１２ｃ及びアーム１２ｄの対向面上でかつＵ字形銅管の内側面と平面部１２ａとの間に、それぞれ固定用ツメ１２ｅが設けられている。
【００２１】
以上のように構成された分離型空気調和機の室外ユニットについて、以下その動作、作用を説明する。
【００２２】
まず、熱交換器製造時には、熱交換器１０のＵ字形銅管１０ａ、１０ｂの閉じた側に端板を設けず、熱交換器完成後に端板１２を熱交換器１０側方向に挿入することで、アーム１２ｄの弾性により固定用ツメ１２ｅを拡げて熱交換器１０のＵ字型銅管１０ａ、１０ｂの閉じた部分に取り付けることができる。
【００２３】
また、熱交換器１０は輸送や空調時の振動等により上下、左右および前後方向に力が加わり移動することが考えられるが、樹脂製端板１２を挿入設置することにより上下、左右および前方向に対して保持する事ができ、さらに固定用ツメ１２ｅにより後方向に対して保持することができる。
【００２４】
また、市場等において端板１２を破損した場合には、熱交換器１０側と逆方向に引き抜くことで、アーム１２ｄの弾性により固定用ツメ１２ｅを拡げて熱交換器１０から端板１２のみを簡単に取り外すことができ、容易に交換することができる。
【００２５】
更に本実施の形態では、端板１２の固定強度を上げるために、外箱底板２および外箱左側板３にネジ１１で固定されている。
【００２６】
また、端板１２は弾性を要求される為、本実施の形態では従来の端板で使用されていた金属製ではなく、樹脂製端板を使用する。更に、アームの根元に所定の切欠きを設けることによって弾性が向上する。
【００２７】
一方、熱交換器がＬ型の複数列で構成される場合、従来の構成では例えば外側列と内側列にそれぞれ金属製端板を設けＬ曲げ加工の後にネジ固定する等、それぞれの列を結合するための部品が必要であったが、この構成によれば熱交換器１０をＬ曲げ加工した後に端板１２を挿入固定できるので１部品により熱交換器１０を保持することが可能となる。
【００２８】
以上のように、本実施の形態においては、熱交換器のＵ字形銅管が閉じた側に、Ｕ字形銅管に沿った立面部と、立面部と対向して前記Ｕ字形銅管を挟持固定するために弾性を有するアームと、Ｕ字形銅管を固定するツメを設けた端板を脱着可能に設置して構成することにより、簡単な構造で端板だけを交換可能としてロスコストを削減し、組立や市場での補修を容易にすることができる。
【００２９】
（実施の形態２）
図４は、本発明の第２の実施の形態における分離型空気調和機の室外ユニットの一部を省略した斜視図を示すものである。
【００３０】
図４において、複数列フィン１０ｃ、１０ｄから構成された熱交換器１０のＵ字形銅管の閉じた側に取り付けられた端板１２は、外側列フィン１０ｃを貫通するＵ字形銅管
１０ａ全てに沿った立面部と、内側列フィン１０ｄを貫通するＵ字形銅管１０ｂの内、最上部及び最下部のＵ字形銅管のみに沿った立面部からなる略コの字形状の立面部で構成され、さらに立面部と対向して、Ｕ字形銅管１０ａ、１０ｂを挟持固定するために弾性を有するアームと、立面部及びアームの対向面上でかつＵ字形銅管１０ａ、１０ｂの内側面と平面部との間に、それぞれ固定用ツメ１２ｅが設けられている。
【００３１】
以上のように構成された分離型空気調和機の室外ユニットについて、端板１２は、熱交換器１０からの簡単な着脱機能を有したまま、銅管の保持力を保ちつつ、端板の形状を小さくして材料を削減できる。
【００３２】
以上のように、本実施の形態においては、熱交換器が複数列により構成される場合、最も外側の列に保持されるＵ字形銅管数が多くなるように端板を構成することにより、端板の形状を小さくしても銅管の保持力を保つことで、端板の材料を削減できより安価で組み立てやすい室外ユニットを実現することができる。
【００３３】
（実施の形態３）
図５は、本発明の第３の実施の形態における分離型空気調和機の室外ユニットの一部を省略した斜視図を示すものである。
【００３４】
図５において、複数列フィン１０ｃ、１０ｄから構成された熱交換器１０のＵ字形銅管の閉じた側に取り付けられた端板１２は、外側列フィン１０ｃを貫通するＵ字形銅管
１０ａと内側列フィン１０ｄを貫通するＵ字形銅管１０ｂの内、最上部及び最下部のそれぞれ１組ずつのＵ字形銅管に沿った立面部で構成された複数の端板１２ｆ、１２ｇからなり、さらにそれぞれの立面部と対向して、Ｕ字形銅管１０ａ、１０ｂを挟持固定するために弾性を有するアームと、立面部及びアームの対向面上でかつＵ字形銅管１０ａ、１０ｂの内側面と平面部との間に、それぞれ固定用ツメ１２ｅが設けられている。
【００３５】
以上のように構成された分離型空気調和機の室外ユニットについて、端板１２は、簡単な熱交換器１０からの着脱機能を有したまま、銅管の保持力を保ちつつ、端板の形状を小さくして材料を削減できる。
【００３６】
更に、端板１２ｆ、１２ｇを複数個設置して構成することにより、熱容量差に伴う熱膨張差によって変形等の影響を削減しさらに安価にて実現することができる。
【００３７】
また、本実施の形態では、樹脂製端板を使用することにより、熱交換器１０の温度変化によって樹脂製端板１２が膨張または収縮する時に樹脂と金属の熱膨張差による変形や接触状態の変化による異常音発生等の影響を削減し、さらに樹脂製端板の材料を削減してより快適で安価な室外ユニットを実現することができる。
【００３８】
以上のように、本実施の形態においては端板を複数個設置して構成することにより、熱容量差に伴う熱膨張差によって変形等の影響を削減しさらに安価にて実現することができる。
【００３９】
（実施の形態４）
図６は、本発明の第４の実施の形態における分離型空気調和機の室外ユニットの一部を省略した斜視図を示すものである。
【００４０】
図６において、熱交換器１０が複数列フィン１０ｃ、１０ｄから構成される場合、端板１２は熱交換器１０の外側列のフィン１０ｃと内側列のフィン１０ｄが接触しないようにＵ字形銅管１０ａおよび１０ｂの間隔を保って固定するような構成にすることによって、空調運転時に、圧縮機や送風機から発生する振動によってフィンの接触部より擦れ音や異常音が発生することを防止でき、より快適な室外ユニットを実現することができる。
【００４１】
また、本実施の形態では、樹脂製端板を使用することにより、圧縮機や送風機から発生する振動を弾性によって吸収しやすくなる。
【００４２】
以上のように、本実施の形態においては熱交換器が複数列により構成される場合、端板を、熱交換器の隣り合うフィン同士が接触しないように列間の距離を設定した構成にすることにより、フィンの接触音を削減することができる。
【００４３】
（実施の形態５）
図７は、本発明の第５の実施の形態における分離型空気調和機の室外ユニットの一部を省略した正面図を示すものである。
【００４４】
図７において、端板１２の下部１２ｇは下端を延長し外箱底板２に接触させて構成される。これにより熱交換器１０は樹脂製端板１２によって側面より固定されるだけでなく下面によっても支持されるため、熱交換器１０の重量および熱交換器１０に加えられた力は外箱底板２と外箱左側板３に分散され、より強固に保持することが可能となる。
【００４５】
以上のように、本実施の形態においては端板の一部を延長し外箱を構成する板に接触させて構成することにより構造を強固にすることができる。
【産業上の利用可能性】
【００４６】
以上のように、本発明にかかる分離型空気調和機の室外ユニットは、Ｌ型もしくはＵ型に曲げて構成された熱交換器の固定を容易にすることが可能となるので、Ｌ型もしくはＵ型に構成された熱交換器を有する分離型空気調和機の室内機等の用途にも適用できる。
【図面の簡単な説明】
【００４７】
【図１】本発明の実施の形態１における分離型空気調和機の室外ユニットの一部を省略した斜視図
【図２】本発明の実施の形態１における分離型空気調和機の室外ユニットの一部を省略した正面図
【図３】本発明の実施の形態１における分離型空気調和機の室外ユニットの一部を省略した平断面図
【図４】本発明の実施の形態２における分離型空気調和機の室外ユニットの一部を省略した斜視図
【図５】本発明の実施の形態３における分離型空気調和機の室外ユニットの一部を省略した斜視図
【図６】本発明の実施の形態４における分離型空気調和機の室外ユニットの一部を省略した斜視図
【図７】本発明の実施の形態５における分離型空気調和機の室外ユニットの一部を省略した正面図
【図８】従来の分離型空気調和機の室外ユニットの一部を省略した平面図
【図９】従来の分離型空気調和機の室外ユニットの一部を省略した斜視図
【符号の説明】
【００４８】
２  外箱底板
３  外箱左側板
９ａ、９ｂ、９ｃ  端板
１０  熱交換器
１０ａ、１０ｂ  Ｕ字形銅管
１０ｃ、１０ｄ  フィン
１１  ネジ
１２  端板
１２ａ  平面部
１２ｂ  開口部
１２ｃ  立面部
１２ｄ  アーム
１２ｅ  固定用ツメ
１２ｆ  端板の上部
１２ｇ  端板の下部
【図１】
2006226652.tif 000003
【図２】
2006226652.tif 000004
【図３】
2006226652.tif 000005
【図４】
2006226652.tif 000006
【図５】
2006226652.tif 000007
【図６】
2006226652.tif 000008
【図７】
2006226652.tif 000009
【図８】
2006226652.tif 000010
【図９】
2006226652.tif 000011